(57)【要約】      （修正有）【課題】比較的簡単な構成で、実際の肌色や髪の色を基準にして、時間、場所に制限なく手軽にカラーコーディネート診断を受けることができるカラー診断システムの提供をする。【解決手段】ネットワーク２に接続可能な通信端末１と、ネットワーク２を介して通信端末１と接続可能なカラー診断を行うサーバ３とを備えたカラー診断システムであって、サーバ３は、通信端末１から送信されてきた色情報に合った系統の配色を判断するカラー診断手段と、カラー診断手段にて判断された系統の配色を示す診断情報を通信端末１に送信するサーバ送受信手段とを有し、通信端末１は、色情報を検出するする色情報検出手段１１と、この色情報をサーバ３に送信するとともに、サーバ３から送信されてきた診断情報を受信する受信手段とを有する。【選択図】図１
2009157486.tif 000002
【特許請求の範囲】
【請求項１】
ネットワークに接続可能な通信端末と、ネットワークを介して前記通信端末と接続可能に構成され、前記通信端末に入力された情報に基づいてカラー診断を行うサーバとを備えたカラー診断システムであって、
前記サーバは、前記通信端末に入力され前記ネットワークを介して送信されてきた色情報に合った系統の配色を判断するカラー診断手段と、前記カラー診断手段にて判断された系統の配色を示す診断情報をネットワークを介して前記通信端末に送信するサーバ送受信手段とを有し、
前記通信端末は、前記色情報を検出するする色情報検出手段と、この色情報検出手段で検出された前記色情報を前記ネットワークを介して前記サーバに送信するとともに、前記サーバの前記診断手段からネットワークを介して送信されてきた前記診断情報を受信する端末送受信手段と、前記診断情報を記憶する記憶手段と、前記診断情報を表示する表示手段とを有することを特徴とするカラー診断システム。
【請求項２】
前記サーバは、色見本を記憶する色見本記憶手段と、前記カラー診断手段にて判断された系統の色見本を前記色見本記憶手段から抽出する色見本管理手段とを備えたことを特徴とする請求項１に記載のカラー診断システム。
【請求項３】
前記色見本記憶手段が記憶する色見本には、四シーズン用のカラー色見本のほか、カラーの濃淡比、明度対比、色相対比、彩度対比、補色対比、トーンの変化に対応するカラーチャートが含まれていることを特徴とする請求項１または請求項２に記載のカラー診断システム。
【請求項４】
前記サーバは、カラー診断を行う条件を判断するための質問を管理する質問情報管理手段と、前記質問を記憶する質問情報記憶手段とを備えたことを特徴とする請求項１ないし請求項３のいずれか１項に記載のカラー診断システム。
【請求項５】
前記サーバは、カラー診断を行う条件として、肌色を基準にヘアカラーの色や、肌色や髪の色及び使用する服装が決まっている場合はその服装の色を基準に、行動する場所、演ずる役割、周囲の状況を前記質問を用いて取得してカラー診断を行う条件を判断することを特徴とする請求項４に記載のカラー診断システム。
【請求項６】
前記通信端末の色情報検出手段は、肌色や髪の色を検出する肌髪色検出機能と、使用する服装が決まっている場合はその服装の色を検出する衣装色検出機能とを有することを特徴とする請求項１ないし請求項５のいずれか１項に記載のカラー診断システム。
【請求項７】
前記通信端末の色情報検出手段は、光源と撮像装置から構成されていることを特徴とする請求項１ないし請求項６のいずれか１項に記載のカラー診断システム。
【請求項８】
前記カラー診断の対象は、下地化粧品であるファンデーションの基本色や服装の基本色であることを特徴とする請求項１ないし請求項７のいずれか１項に記載のカラー診断システム。
【請求項９】
前記カラー診断の対象が、室内の壁や壁紙の色、天井や床の色、絨毯の色を基準に、それら相互のカラーコーディネートと家具や家電製品、カーテン、テーブルクロスの色の選択であることを特徴とする請求項１ないし請求項７のいずれか１項に記載のカラー診断システム。
【請求項１０】
ネットワークに接続可能な通信端末に入力された情報からサーバにおいてカラー診断を行うカラー診断方法であって、
前記通信端末に入力され送信されてきた色情報を受信する工程と、
カラー診断を行う条件を判断するための質問を質問情報記憶手段から抽出する質問情報抽出工程と、
抽出した前記質問をネットワークを介して前記通信端末に送信しその回答を受信する質問情報送受信工程と、
前記色情報と質問の回答に適した系統の配色を判断するカラー診断工程と、
前記カラー診断工程にて判断された系統の色見本を色見本記憶手段から抽出する色見本抽出工程と、
前記カラー診断工程にて判断された系統の配色を表す前記色見本を含む診断情報をネットワークを介して前記通信端末に送信する診断情報送信工程とを有することを特徴とするカラー診断方法。
【発明の詳細な説明】
【技術分野】
【０００１】
本発明は、カラー診断システムおよびカラー診断方法に関し、特に、ネットワークを介して提示された条件に基づいてカラー診断を行うカラー診断システムとカラー診断方法に関する。
【背景技術】
【０００２】
従来から、ユーザの趣味、肌の色および髪の色等から適合した配色が判断され、判断された配色が色見本として示されるカラー診断が行われているが、このようなカラー診断には、専門的知識と経験が必要とされる。そのため、通常、ユーザと専門的知識を有するカラーコーディネータとが対面式に診断を行い、カラーコーディネータによってユーザに対する診断結果から配色が判断され、判断された配色が一覧となったものとしてユーザに配布されている。
【０００３】
また、近年においては、上述したような診断を、インターネットや携帯端末を用いた通信によって実施する方法も提案されている。（例えば、特許文献１または特許文献２参照。）。
【特許文献１】特開２００６−４０１０５号公報
【特許文献２】特開２００４−１１８４４４号公報
【発明の開示】
【発明が解決しようとする課題】
【０００４】
しかしながら、インターネットや携帯端末を用いた通信によって実施されるカラー診断の従来の方法では、カラー診断の基礎となる肌の色や髪の色は質問に対する回答として与えられるだけで、実際の色が提供されるわけではなく、対面式に診断の場合と異なって正確な診断が受けられないという問題があった。
また、カラー診断の基準はあくまで与えられた色の情報だけであって、カラー診断を受けるユーザが、カラー診断の結果を利用する場所や演ずる役割、周囲の状況等が加味された診断ではないという問題があった。
【０００５】
本発明は、この様な問題を解決して、実際の肌色や髪の色を基準に、時間、場所に制限なく手軽にカラーコーディネートを受けることができるカラー診断システム、ならびにカラー診断方法を提供することを目的とする。
【課題を解決するための手段】
【０００６】
上記課題を解決するため、本発明のカラー診断システムは、ネットワークに接続可能な通信端末と、ネットワークを介して前記通信端末と接続可能に構成され、前記通信端末に入力された情報に基づいてカラー診断を行うサーバとを備えたカラー診断システムであって、前記サーバは、前記通信端末に入力され前記ネットワークを介して送信されてきた色情報に合った系統の配色を判断するカラー診断手段と、前記カラー診断手段にて判断された系統の配色を示す診断情報をネットワークを介して前記通信端末に送信するサーバ送受信手段とを有し、前記通信端末は、前記色情報を検出するする色情報検出手段と、この色情報検出手段で検出された前記色情報を前記ネットワークを介して前記サーバに送信するとともに、前記サーバの前記診断手段からネットワークを介して送信されてきた前記診断情報を受信する端末送受信手段と、前記診断情報を記憶する記憶手段と、前記診断情報を表示する表示手段とを有することを特徴とする。
【０００７】
ここで、前記サーバは、色見本を記憶する色見本記憶手段と、前記カラー診断手段にて判断された系統の色見本を前記色見本記憶手段から抽出する色見本管理手段とを備えたことを特徴とする。
【０００８】
前記色見本記憶手段が記憶する色見本には、四シーズン用のカラー色見本のほか、カラーの濃淡比、明度対比、色相対比、彩度対比、補色対比、トーンの変化に対応するカラーチャートが含まれていることを特徴とする。
【０００９】
また、前記サーバは、カラー診断を行う条件を判断するための質問を管理する質問情報管理手段と、前記質問を記憶する質問情報記憶手段とを備えたことを特徴とする。
【００１０】
さらに、前記サーバは、カラー診断を行う条件として、肌色を基準にヘアカラーの色や、肌色や髪の色及び使用する服装が決まっている場合はその服装の色を基準に、行動する場所、演ずる役割、周囲の状況を前記質問を用いて取得してカラー診断を行う条件を判断することを特徴とする。
【００１１】
また、前記通信端末の色情報検出手段は、肌色や髪の色を検出する肌髪色検出機能と、使用する服装が決まっている場合はその服装の色を検出する衣装色検出機能とを有することを特徴とする。
【００１２】
さらに、前記通信端末の色情報検出手段は、光源と撮像装置から構成されていることを特徴とする。
【００１３】
ここで、前記カラー診断の対象は、下地化粧品であるファンデーションの基本色や服装の基本色であることを特徴とする。
【００１４】
また、前記カラー診断の対象が、室内の壁や壁紙の色、天井や床の色、絨毯の色を基準に、それら相互のカラーコーディネートと家具や家電製品、カーテン、テーブルクロスの色の選択であることを特徴とする。
【００１５】
上記課題を解決するため、本発明のカラー診断方法は、ネットワークに接続可能な通信端末に入力された情報からサーバにおいてカラー診断を行うカラー診断方法であって、前記通信端末に入力され送信されてきた色情報を受信する工程と、カラー診断を行う条件を判断するための質問を質問情報記憶手段から抽出する質問情報抽出工程と、抽出した前記質問をネットワークを介して前記通信端末に送信しその回答を受信する質問情報送受信工程と、前記色情報と質問の回答に適した系統の配色を判断するカラー診断工程と、前記カラー診断工程にて判断された系統の色見本を色見本記憶手段から抽出する色見本抽出工程と、前記カラー診断工程にて判断された系統の配色を表す前記色見本を含む診断情報をネットワークを介して前記通信端末に送信する診断情報送信工程とを有することを特徴とする。
【発明の効果】
【００１６】
以上に述べたような本発明に係るカラー診断システム、カラー診断方法によると、実際の肌色や髪の色を基準に、時間、場所に制限なく手軽にカラーコーディネートを受けることができる。
【発明を実施するための最良の形態】
【００１７】
以下、図面を参照しつつ本発明に係るカラー診断システムの実施形態を詳細に説明する。
なお、以下の説明は発明をより深く理解するためのものであって、特許請求の範囲を限定するためのものではない。
【００１８】
本発明に係るカラー診断システムは、携帯端末に設けられた撮像アダプターのＣＣＤカメラと、携帯端末に付随したＣＣＤカメラとを使用して、カラー分析及びカラー診断を行い、カラーマッチングを提唱するものである。
【００１９】
図１は、本発明に係るカラー診断システムの一実施形態のブロック図である。
また、図２は、図１に示したサーバ３の構成を示す説明図で、図３は図１に示した撮像アダプター１１の構成を示す断面図である。
【００２０】
本実施形態は図１に示すように、公衆電話網およびインターネットを含むネットワーク２に接続可能な通信端末である携帯端末１と、ネットワーク２に接続可能に構成され、携帯端末１に入力された条件に基づいてカラー診断を行い、色見本や色情報等を提供するサーバ３とから構成されている。なお、携帯端末は１は、ユーザの肌や髪を実際に撮影する撮像アダプター１１とサーバ３からネットワーク２経由で配布される情報や色見本を保存、画面表示するためのアプリケーションを備えている。
【００２１】
また、サーバ３は図２に示すように、会員登録されたユーザに関する情報を会員情報データベース３６として登録して管理する会員情報管理部３２と、カラーコーディネートを行うために必要となる質問事項を質問情報データベース３７として管理する質問情報管理部３３と、携帯端末１から送られる肌色、髪の色、衣装の色などの色情報と質問情報管理部３３にて管理される質問事項に対する回答を条件としてこの条件に合った系統の色を判断するカラー診断部３４と、携帯電話１に配布する色見本を色見本データベース３８として管理しておき、カラー診断部３４にて判断された系統の色の色見本を色見本データベース３８の中から提供する色見本管理部３５と、ネットワーク２を介して携帯端末１に情報画面を送信するとともに、送信した情報画面に入力された情報を受信する送受信部３１とから構成されている。
【００２２】
ここで、色見本データベース３８の色見本には、四季に対応する四シーズンのカラー色見本のほか、基本的なカラーの濃淡比、明度対比、色相対比、彩度対比、補色対比、トーンを種々に変化させた色が含まれており、これによって、複雑な条件に対応したカラーチャートが得られ、微妙な色彩のバランスによるカラーコーディネートを実現することができる。この色見本データベース３８の色見本の他の例として、パントンカラー（登録商標）やＤＩＣカラー（登録商標）等の色見本を用いることもできる。
【００２３】
図３に、携帯端末１に設けられた色情報検出手段としての撮像アダプター１１の断面図を示す。
撮像アダプター１１は円筒状の筐体１１１から構成され、その下部が開いた構造となっている。
この円筒状筐体１１１の内部の上部にはＬＥＤランプからなるライト１１３とＣＣＤカメラからなる光センサ１１４が設けられている。また、円筒状筐体１１１の内部の下部には接写レンズ１１２が設けられている。さらに筐体１１１の下部の開口部には、皮膚への当たりを柔らかくし密着させるリング状のクッション１１５が設けられている。
肌や髪の色を検出する場合には、この撮像アダプター１１の接続ケーブルの先端のコネクタを携帯端末１に接続し、撮像アダプター１１のクッション１１５側を顔の皮膚や髪の毛に押し当てて携帯端末１の撮影スイッチを押すと、ライト１１３が一瞬発光して、光センサ１１４で皮膚や髪からの反射光を受光して撮像することができる。
この方式では、外部からの光が入ってこないので、撮影条件を一定にして常に均等な条件で肌色や髪の色を検出し採集することができる。
またこの方法で、衣装の一部分の色を検出することも可能である。
本実施の形態では、部分的な色彩の採集にはこのアダプターを用いる。一方、全体的な色彩の採集には携帯端末１に本来付随しているＣＣＤカメラを色情報検出手段として用いても良い。
【００２４】
次に、以上のように構成されたカラー診断システムのサーバ３で行われるカラー診断方法を図４のフローチャートに沿って説明する。
【００２５】
ユーザが、カラーコーディネートを受けるために、携帯端末１からネットワーク２を経由してサーバ３にアクセスすると（ステップＳ１０１）、会員情報管理部３２が会員情報データベース３６を参照してユーザが会員であるかどうかを判定する（ステップＳ１０２）。会員で無い場合は会員登録を促し（ステップＳ１０３）、入会を判定する（ステップＳ１０４）。
会員である場合や、会員登録が終了した場合は、携帯端末１と通信し、携帯端末１より撮像アダプター１１によって検出した肌色や髪の色などの色情報を取得する（ステップＳ１０５）。
【００２６】
さらに、質問情報管理部３３は質問情報データベース３７から必要な質問情報を抽出して携帯端末１に送信する（ステップＳ１０６）。
そうして、携帯端末１はサーバ３から送信された質問情報に対する回答を作成してサーバ３に送り返し、サーバ３はこれを受信する（ステップＳ１０７）。
サーバ３のカラー診断部３４は色情報と質問情報に対する回答からカラー診断を行う（ステップＳ１０８）。
【００２７】
カラー診断部３４でのカラー診断の結果に応じて、色見本管理部３５は色見本データベース３８からカラー診断によって判断された系統の推薦する色見本を抽出する（ステップＳ１０９）。
そうして、この色見本を含む診断情報を携帯端末１に対して送信する（ステップＳ１１０）。携帯端末１はこの診断情報を記憶手段に記憶して表示手段に繰り返し再現することができる。
その後、会員情報データベース３６の会員情報を更新するなどの後処理を行って（ステップＳ１１１）、終了する。
【００２８】
以上のカラーコーディネートの選択は、基本的にはユーザの肌色からヘアカラーの色を選び、また、肌色と髪の色に対応する下地化粧品であるファンデーションの色見本を選らび、さらにそれに合う衣装の色彩などを選択するものである。
しかし、予め衣装が決まっている場合には、肌色や髪の色に衣装の色を加えてファンデーションの色見本を選択しても良い。
【００２９】
また、ステップＳ１０６にてサーバ３から送信される質問事項の中に、ユーザの年齢や、ユーザの好みの洋服のタイプを問う質問を含めておき、これらの質問事項に対する回答に基づいて、カラーコーディネートの選択を限定したり、広げたりすることもできる。
さらに、質問によってユーザがこのカラーコーディネートをして行く場所、例えば、ホテルであるとか、職場であるとか、面接会場であるとかを入力させたり、ユーザがその場所で演じる役割、例えば、友人の結婚式での司会とか、研究発表とか、商品の宣伝とかを入力させたり、あるいは、仕事関連か、仲間内か、家族か、試験や面接か、お見合いか等のスチュエーションを入力させるようにすることによって、いっそう適切なカラーコーディネートの色系統を示すこともできる。また、ユーザの当日の気持ちを含めるようにしても良い。
【００３０】
また、この方式を、室内の壁、壁紙、天井、床、絨毯などの色から家具や家電製品の色、カーテンやテーブルクロスの色を選択するなどのカラーコーディネートに、自動車の外塗装の色から車内の配色を選択する場合や、併用されることの多い家具、文具、玩具などの相互のカラーコーディネートやカラーマッチングの選択に用いることもできる。
【００３１】
以上、本発明の実施例について説明したが、本発明は上記実施例に限定されるものではなく、本発明の趣旨に反しない範囲内において、適宜変形実施が可能であることは言うまでもない。
【産業上の利用可能性】
【００３２】
本発明は、以上に述べたように、比較的簡単な方法で、実際の肌色や髪の色を基準に、時間、場所に制限なく手軽にカラーコーディネートを受けることができるカラー診断システムを実現することができ、美容院、式場や化粧品販売などの分野で広く利用される可能性を有している。
【図面の簡単な説明】
【００３３】
【図１】本発明のカラー診断システムのブロック図である。
【図２】図１に示すサーバの構成を示すブロック図である。
【図３】図１に示す撮像アダプターの断面図である。
【図４】本発明のカラー診断方法のフローチャートである。
【符号の説明】
【００３４】
１  携帯端末
２  ネットワーク
３  サーバ
１１  撮像アダプター
３１  送受信部
３２  会員情報管理部
３３  質問情報管理部
３４  カラー診断部
３５  色見本管理部
３６  会員情報データベース
３７  質問情報データベース
３８  色見本データベース
【図１】
2009157486.tif 000003
【図２】
2009157486.tif 000004
【図３】
2009157486.tif 000005
【図４】
2009157486.tif 000006